(57)【要約】【課題】内燃機関の吸気管又は排気管から使用者の好みのオリジナルな音（サウンド）を発生することができるようにする。【解決手段】サウンドガスケット１は、内燃機関の吸気管又は排気管の接続部のフランジ間に挟まれて気密を保持する金属板からなるガスケットであり、その本体部１０に、上記吸気管又は排気管の外径と対応する径の開口１１が形成され、その開口１１の周囲にシール用のビード１３を形成している。そして、開口１１の周縁部から開口１１内に延びるサウンド発生用延設部１４を設けており。そこに、上記吸気管又は排気管内を流れる吸気又は排気の一部が矢示Ｆ方向に通過可能な通気孔１５を形成している。その通気孔１５を吸気又は排気の一部が通過することによって、サウンド発生用延設部１４が振動して笛のように音を発生する。【選択図】    図１
2019070354.tif 000002
【特許請求の範囲】
【請求項１】
内燃機関の吸気管又は排気管の接続部のフランジ間に挟まれて気密を保持する金属板からなるガスケットであって、
前記吸気管又は排気管の外径と対応する径の開口が形成され、該開口の周囲にシール用のビードを形成しており、前記開口の周縁部から該開口内に延び、前記吸気管又は排気管内を流れる吸気又は排気の一部が通過可能な通気孔を形成したサウンド発生用延設部を設けたことを特徴とするサウンドガスケット。
【請求項２】
前記サウンド発生用延設部が、前記開口の周縁部から前記開口内に延びるにしたがって、前記吸気又は排気の下流方向に下り勾配で傾斜していることを特徴とする請求項１に記載のサウンドガスケット。
【請求項３】
前記サウンド発生用延設部が、前記開口の周縁部の全周に亘って形成され、前記通気孔が周方向に間隔を置いて複数個形成されていることを特徴とする請求項１又は２に記載のサウンドガスケット。
【請求項４】
内燃機関の吸気管又は排気管の接続部のフランジ間に、ガスケットと共に装着される金属板からなるアタッチメントであって、
前記吸気管又は排気管の外径と対応する径の開口が形成され、前記開口の周縁部から該開口内に延び、前記吸気管又は排気管内を流れる吸気又は排気の一部が通過可能な通気孔を形成したサウンド発生用延設部を設けたことを特徴とするサウンドアタッチメント。
【請求項５】
前記サウンド発生用延設部が、前記開口の周縁部から前記開口内に延びるにしたがって、前記吸気又は排気の下流方向に下り勾配で傾斜していることを特徴とする請求項４に記載のサウンドアタッチメント。
【請求項６】
前記サウンド発生用延設部が、前記開口の周縁部の全周に亘って形成され、前記通気孔が周方向に間隔を置いて複数個形成されていることを特徴とする請求項４又は５に記載のサウンドアタッチメント。
【請求項７】
前記フランジ及びガスケットの外周形状と同じ外周形状を有することを特徴とする請求項４から６のいずれか一項に記載のサウンドアタッチメント。
【請求項８】
前記ガスケットの有効シール領域を内包する外周形状有することを特徴とする請求項４から６のいずれか一項に記載のサウンドアタッチメント。
【請求項９】
内燃機関の吸気管又は排気管の接続部の互いに嵌合する端部間に、シールリングと共に装着される金属板からなるアタッチメントであって、
鍔状の本体部と前記吸気管又は排気管の内径と対応する外径を有するバーリング部とを有し、該バーリング部の先端部から該バーリング部の中心方向に折れ曲って延び、前記吸気管又は排気管内を流れる吸気又は排気の一部が通過可能な通気孔を形成したサウンド発生用延設部を設けたことを特徴とするサウンドアタッチメント。
【発明の詳細な説明】
【技術分野】
【０００１】
この発明は、自動車やオートバイ等に搭載する内燃機関（エンジン）の排気管又は吸気管の接続部に取り付けるサウンドガスケット及びサウンドアタッチメントに関する。
【背景技術】
【０００２】
自動車やオートバイ等に搭載する内燃機関（エンジン）では、エアクリーナ及び吸気管を通して吸入した空気と噴射された燃料との混合気を燃焼室で爆発的に燃焼させて動力を発生させ、燃焼後の排気ガスを排気管を通して大気中に排出する。
そして、一般に排気管から排気ガスが排出される際に発生する音（排気音）を低減するためにマフラが、吸気管に空気が吸い込まれる際に発生する音（吸気音）を低減するためにサイレンサが用いられる。
【０００３】
しかし、例えば海外の個性を強調するドライバなどには、車両の運転状態に応じて好みのサウンド（排気音あるいは吸気音）を発生させたい要求がある。
そこで、例えば特許文献１に見られるように、吸気音を含むエンジンサウンドを、車両の運転状態に応じて好適に変化させることができるようにする車両用エンジンサウンド可変装置が提案されている。
【０００４】
この装置は、エアクリーナからエンジンに至る吸気ダクトの途中にジャバラを設けている。そのジャバラが、エンジンのロール運動により、加速時と減速時で反対方向に屈曲される。その加速時の屈曲でジャバラの各山間が狭くなる側については、減速時の屈曲でジャバラの各山間が狭くなる側より、予めその山間の間隔を狭く形成しておく。それによって、加速時のエンジンのロール運動によって、ジャバラは少なくとも一部が短縮方向に変形して剛性が増大し、エンジン振動のエアクリーナへの伝達量が増大し、エンジンサウンドが増大する。
【先行技術文献】
【特許文献】
【０００５】
【特許文献１】特開２０１０−２７５９４９号公報
【発明の概要】
【発明が解決しようとする課題】
【０００６】
しかしながら、上述した車両用エンジンサウンド可変装置は、吸気ダクト（吸気管）の途中に特殊なジャバラを設けなければならないので、装着が容易でなく、また、発生するサウンドの音高や音質及び音量を使用者の好みに合わせて任意に調整するのは難しいという問題があった。なお、特許文献１には、エンジンの排気音を可変することについては何ら記載されていない。
【０００７】
この発明はこのような背景に基づいてなされたものであり、内燃機関の吸気管あるいは排気管への取り付けが簡単で、発生するサウンドの音高や音質及び音量の調整も容易にでき、使用者の好みのオリジナルな音（サウンド）を発生することができるサウンドガスケット及びサウンドアタッチメントを提供することを目的とする。
【課題を解決するための手段】
【０００８】
この発明によるサウンドガスケットは、内燃機関の吸気管又は排気管の接続部のフランジ間に挟まれて気密を保持する金属板からなるガスケットであって、上記の目的を達成するため、上記吸気管又は排気管の外径と対応する径の開口が形成され、該開口の周囲にシール用のビードを形成しており、上記開口の周縁部から該開口内に延び、上記吸気管又は排気管内を流れる吸気又は排気の一部が通過可能な通気孔を形成したサウンド発生用延設部を設けたことを特徴とする。
【０００９】
この発明によるサウンドアタッチメントは、内燃機関の吸気管又は排気管の接続部のフランジ間に、ガスケットと共に装着される金属板からなるアタッチメントであって、上記の目的を達成するため、上記吸気管又は排気管の外径と対応する径の開口が形成され、上記開口の周縁部から該開口内に延び、上記吸気管又は排気管内を流れる吸気又は排気の一部が通過可能な通気孔を形成したサウンド発生用延設部を設けたことを特徴とする。
【００１０】
上記サウンドアタッチメントは、上記フランジ及びガスケットの外周形状と同じ外周形状を有するか、上記ガスケットの有効シール領域を内包する外周形状を有するのが望ましい。
また、上記サウンドガスケット及びサウンドアタッチメントは、上記サウンド発生用延設部が、上記開口の周縁部から上記開口内に延びるにしたがって、上記吸気又は排気の下流方向に下り勾配で傾斜しているとよい。
【００１１】
さらに、上記サウンド発生用延設部が、上記開口の周縁部の全周に亘って形成され、上記通気孔が周方向に間隔を置いて複数個形成されていてもよい。
また、この発明によるサウンドアタッチメントは、上記吸気管又は排気管の内径と対応する外径を有するバーリング部を有し、上記通気孔を形成したサウンド発生用延設部を、上記バーリング部の先端部から該バーリング部の中心方向に折れ曲って延びるように設けてもよい。
【発明の効果】
【００１２】
この発明によるサウンドガスケット及びサウンドアタッチメントは、内燃機関の吸気管あるいは排気管への取り付けが簡単で、発生するサウンドの音高や音質及び音量の調整も容易にでき、使用者の好みのオリジナルな音（サウンド）を発生することができる。
【図面の簡単な説明】
【００１３】
【図１】この発明によるサウンドガスケットの第１実施例の平面図（ａ）とそのＹ−Ｙ線に沿う断面図（ｂ）である。
【図２】この発明によるサウンドガスケットの第２実施例の平面図（ａ）とそのＹ−Ｙ線に沿う断面図（ｂ）である。
【図３】この発明によるサウンドガスケットの第３実施例の平面図（ａ）とそのＹ−Ｙ線に沿う断面図（ｂ）である。
【図４】この発明によるサウンドアタッチメントの第１実施例の平面図（ａ）とそのＹ−Ｙ線に沿う断面図（ｂ）である。
【図５】この発明によるサウンドアタッチメントの第２実施例の平面図（ａ）とそのＹ−Ｙ線に沿う断面図（ｂ）である。
【図６】この発明によるサウンドアタッチメントの第３実施例の平面図（ａ）とそのＸ−Ｘ線に沿う断面図の異なる例（ｂ）（ｃ）である。
【図７】この発明によるサウンドアタッチメントの第４実施例の平面図（ａ）とそのＸ−Ｘ線に沿う断面図（ｂ）である。
【図８】従来の管接続部の構造例を示す管の軸線方向に沿う断面図である。
【図９】この発明によるサウンドアタッチメントの変形例を装着した管接続部の構造例を示す管の軸線方向に沿う断面図である。
【発明を実施するための形態】
【００１４】
以下、この発明を実施するための形態を図面に基づいて具体的に説明する。
まず、この発明によるサウンドガスケットの実施例について説明する。
【００１５】
〔サウンドガスケットの第１実施例〕
この発明によるサウンドガスケットの第１実施例を図１によって説明する。
図１の（ａ）はそのサウンドガスケットの平面図、（ｂ）は（ａ）のＹ−Ｙ線に沿う断面図である。
このサウンドガスケット１は、内燃機関の吸気管又は排気管の接続部のフランジ間に挟まれて気密を保持する機能を有するガスケットであり、所定の厚さ（例えば０．２ｍｍ〜１．０ｍｍ程度）のステンレスやアルミニウム等の金属板をプレス加工して製造される。
【００１６】
その本体部１０は、平面形状が（ａ）に示すように正三角形の各頂部１０ａにアールを付け、各辺の中央部１０ｂが幾分外方へ凸に湾曲した形状になっている。この形状は、内燃機関の吸気管又は排気管（以下、「パイプ」と称する）の接続部の両側に設けられたフランジの平面形状と対応させているが、この形状に限るものではない。
【００１７】
その本体部１０の中央部に、接続すべきパイプの外径と対応する径の開口（ポート孔）１１が大きく形成されている。また、各頂部１０ａに近い３箇所にそれぞれボルト孔１２が形成されている。そして、本体部１０の開口１１の周囲にシール用のビード１３を形成している。このシール用のビード１３は、開口１１の周縁部の外側に同心環状に形成され、図１の（ｂ）に示すように厚さ方向に僅かに湾曲して、ばね性を持たせている。
【００１８】
さらに、この本体部１０の開口１１の周縁部の所定位置から開口１１内に突出するように延び、接続するパイプ内を流れる吸気又は排気の一部が通過可能な通気孔１５を形成したサウンド発生用延設部１４を設けている。この実施例のサウンド発生用延設部１４は、本体部１０の平面内で開口１１内にその径方向に突出するように延びている。そして、通気孔１５は、笛の歌口のような機能を果たす。
【００１９】
内燃機関の吸気管とサイレンサ側出口管又はエンジン本体側入口管との接続、あるいは排気管とエンジン本体側出口管又はマフラ側入口管との接続等を行う場合の一般的な接続構造の例を図８に示す。
この接続構造は、被接続側と接続側の各管であるパイプ１０１，１０２の端部にそれぞれパイプ接続用のフランジ２０１，２０２を溶接等で固着し、そのフランジ同士をガスケット３００を挟んで締め付けて接続する方法がとられている。
【００２０】
その締め付けは、フランジ２０１，２０２が正三角形に近い形状の場合、その各頂部付近に形成されたボルト孔にそれぞれ挿入したボルト４００とナット５００とによって均等に締め付ける。それによって、パイプ１０１とパイプ１０２を気密に接続することができる。
その場合、ボルト４００とナット５００による２ヶ所の締め付け部が同一断面に現れることはないが、図８では説明の便宜上、２ヶ所の締め付け部を通る面で切断したものとして示している。
【００２１】
フランジ２０１，２０２の材料は用途によって異なるが、例えば炭素鋼、合金鋼、ステンレス鋼、銅合金、アルミニウム合金などが使用される。
ガスケット３００には、ゴム等で形成された軟質ガスケットと、銅やステンレス、アルミニウム等の金属板を打ち抜いて形成されるメタルガスケットがある。
自動車のエンジンにおける排気管の接続部のような高温になる接続部には、メタルガスケットが使用される。
【００２２】
図１に示したサウンドガスケット１は、メタルガスケットにサウンド発生用延設部１４を設けたものに相当する。
そして、このサウンドガスケット１の本体部１０を、内燃機関の図８に示したような例えば排気管であるパイプ１０１，１０２の接続部のフランジ２０１，２０２間に、ガスケット３００に代えて挟み込んで締め付けることにより、ビード１３が弾性変形して押しつぶされて気密を保持する。
【００２３】
その状態で、パイプ１０１，１０２の排気通路内に、通気孔１５を形成したサウンド発生用延設部１４がその内周面から突出する。そのため、パイプ１０１，１０２を排気が流れると、その一部が図１に矢示Ｆで示すように通気孔１５を通過し、その際サウンド発生用延設部１４を振動させ、笛のような音を発生する。その音がパイプ１０１，１０２内で共鳴して増幅されて外部へ放音される。
このサウンドガスケット１のサウンド発生用延設部１４の大きさや厚さ、通気孔１５の大きさや形状を変えることによって、発生するサウンドの音高、音質、音量等を任意に調整でき、使用者の好みのオリジナルな音（サウンド）を発生させることができる。それによって、例えばターボチャージャやスーパーチャージャを取り付けたエンジンの吸気音又は排気音のような特殊な音を発生させることができる。
【００２４】
〔サウンドガスケットの第２実施例〕
次に、この発明によるサウンドガスケットの第２実施例を図２によって説明する。
図２の（ａ）はそのサウンドガスケットの平面図、（ｂ）は（ａ）のＹ−Ｙ線に沿う断面図である。この第２実施例のサウンドガスケット１は、サウンド発生用延設部１４が、本体部１０の開口１１の周縁部から開口１１内に延びるにしたがって、吸気又は排気の下流方向（矢示Ｆ方向）に下り勾配で傾斜している点だけが、前述した第１実施例と相違している。
【００２５】
したがって、図２における各部には、図１における対応する各部と同一の符号を付してあり、それらの説明を省略する。
この第２実施例では、サウンド発生用延設部１４の傾斜角度を調整することによって、発生するサウンドを一層容易に変化させることができる。
【００２６】
〔サウンドガスケットの第３実施例〕
次に、この発明によるサウンドガスケットの第３実施例を図３によって説明する。
図３の（ａ）はそのサウンドガスケットの平面図、（ｂ）は（ａ）のＹ−Ｙ線に沿う断面図である。この第３実施例のサウンドガスケット１は、サウンド発生用延設部１６が、本体部１０の開口１１の周縁部の全周に亘って形成され、通気孔１７が周方向に１２０°の角度間隔を置いて３個形成されている点だけが、前述した第１実施例と相違している。
その他の点は前述した第１実施例と同じであるから、図３におけるサウンド発生用延設部１６と通気孔１７以外の各部には、図１における対応する各部と同一の符号を付してあり、それらの説明を省略する。
【００２７】
また、図３に示す例では、環状のサウンド発生用延設部１６が、本体部１０の開口１１の周縁部から開口１１内に延びるにしたがって、吸気又は排気の下流方向（矢示Ｆ方向）に下り勾配で傾斜しているが、本体部１０と同一平面内で径方向に延びるようにしてもよい。
さらに、通気孔１７の数は３個に限らず、複数個（２個以上）あればよく、その配置間隔も等角度間隔に限るものではない。
【００２８】
そのサウンド発生用延設部１６に形成する複数の通気孔１７の大きさや形状を異ならせることによって、発生する音の音高や音色を異ならせ、２重奏や３重奏のような複合サウンドを発生させることができる。
開口１１の周縁部の全周に亘って環状のサウンド発生用延設部１６を形成するのに代えて、図１又は図２に示した１個の通気孔１５を形成したサウンド発生用延設部１４を、開口１１の周縁部に間隔を置いて複数個設けるようにしてもよい。
【００２９】
〔サウンドアタッチメントの第１実施例〕
次に、この発明によるサウンドアタッチメントの第１実施例を図４によって説明する。
図４の（ａ）はそのサウンドアタッチメントの平面図、（ｂ）は（ａ）のＹ−Ｙ線に沿う断面図である。
このサウンドアタッチメント２は、内燃機関の吸気管又は排気管の接続部のフランジ間に、ガスケットと共に装着される金属板からなるアタッチメントであり、所定の厚さ（例えば０．２mm〜１．０ｍｍ程度）のステンレスやアルミニウム等の金属板をプレス加工して製造される。
【００３０】
そして、図２に示したサウンドガスケット１と同様な形状の本体部２０の中央部に、接続すべきパイプの外径と対応する径の開口（ポート孔）２１が大きく形成されている。その本体部２０の各頂部に近い３箇所にそれぞれボルト孔２２が形成されている。しかし、その本体部２０にはシール用のビードは形成されておらず、全体が平面状である。
【００３１】
そして、この本体部２０の開口２１の周縁部の所定位置から開口２１内に突出するように延び、接続するパイプ内を流れる吸気又は排気の一部が通過可能な通気孔２５を形成したサウンド発生用延設部２４を設けている。
そのサウンド発生用延設部２４は、図４の（ｂ）に示すように、本体部２０の開口２１の周縁部から開口２１内に延びるにしたがって、吸気又は排気の下流方向（矢示Ｆ方向）に下り勾配で傾斜している。
【００３２】
したがって、このサウンドアタッチメント２は、本体部２０にシール用のビード１３が形成されていない点だけが、図２に示したサウンドガスケット１と相違していることになる。
このサウンドアタッチメント２の本体部２０を、内燃機関の図８に示したような例えば排気管であるパイプ１０１，１０２の接続部のフランジ２０１，２０２間に、ガスケット３００と共に挟み込んで締め付けることにより、ガスケット３００のビードが弾性変形して押しつぶされて気密を保持する。
【００３３】
その状態で、パイプ１０１，１０２の排気通路内に、通気孔２５を形成したサウンド発生用延設部２４がその内周面から突出する。そのため、パイプ１０１，１０２を排気が流れると、その一部が図４に矢示Ｆで示すように通気孔２５を通過し、その際サウンド発生用延設部２４を振動させ、笛のような音を発生する。その音がパイプ１０１，１０２内で共鳴して増幅されて外部へ放音される。
【００３４】
このサウンドアタッチメント２のサウンド発生用延設部２４の大きさや厚さ、あるいは傾斜角度、通気孔２５の大きさや形状を変えることによって、発生するサウンドの音高、音質、音量等を任意に調整でき、使用者の好みのオリジナルな音（サウンド）を発生させることができる。
【００３５】
すなわち、パイプの接続部に図２に示したサウンドガスケット１を装着した場合と同等の効果が得られる。
このサウンドアタッチメント２のサウンド発生用延設部２４を、本体部２０の平面内で開口２１内に傾斜せずに突出するように延設してもよい。その場合は、本体部２０にシール用のビードが形成されていない点以外は、図１に示したサウンドガスケット１と同じ構成になる。
【００３６】
〔サウンドアタッチメントの第２実施例〕
次に、この発明によるサウンドアタッチメントの第２実施例を図５によって説明する。
図５の（ａ）はそのサウンドアタッチメントの平面図、（ｂ）は（ａ）のＹ−Ｙ線に沿う断面図である。この第２実施例のサウンドアタッチメント２は、サウンド発生用延設部２６が、本体部２０の開口２１の周縁部の全周に亘って形成され、通気孔２７が周方向に１２０°の間隔を置いて３個形成されている点だけが、図４によって説明した第１実施例と相違している。
【００３７】
その他の点は前述した第１実施例と同じであるから、図５におけるサウンド発生用延設部２６と通気孔２７以外の各部には、図４における対応する各部と同一の符号を付してあり、それらの説明を省略する。
【００３８】
このサウンドアタッチメント２は、本体部２０にシール用のビード１３が形成されていない点だけが、図３に示したサウンドガスケット１と相違していることになる。
したがって、この図５に示すサウンドアタッチメント２の本体部２０をビードを形成したメタルガスケットと重ねて使用すれば、図３に示したサウンドガスケット１を使用した場合と同等の効果が得られる。
また、この図５に示すサウンドアタッチメント２についても、図３に示したサウンドガスケット１について説明した各種の変更を、同様に行うことができる。
【００３９】
〔サウンドアタッチメントの第３実施例〕
次に、この発明によるサウンドアタッチメントの第３実施例を図６によって説明する。図６の（ａ）はそのサウンドアタッチメントの平面図、（ｂ），（ｃ）はそれぞれ（ａ）のＸ−Ｘ線に沿う断面図の異なる例を示す。
【００４０】
この第３実施例のサウンドアタッチメント３も、内燃機関の吸気管又は排気管の接続部のフランジ間に、ガスケットと共に装着される金属板からなるアタッチメントである。
そして、円板状の本体部３０の中央部に吸気管又は排気管の内径と対応する外径を有する円筒状のバーリング部３１を有している。そのバーリング部３１の先端部からバーリング部３１の中心方向に折れ曲って延び、吸気管又は排気管内を流れる吸気又は排気の一部が通過可能な通気孔３３を形成したサウンド発生用延設部３２を設けている。
【００４１】
図６に示す例では、サウンド発生用延設部３２が、バーリング部３１の先端部の全周に亘って形成され、その周縁部から中心方向に延びるにしたがって、吸気又は排気の下流方向に下り勾配で傾斜している。３４は吸気又は排気が流通する開口である。
図６の（ｂ）はバーリング部３１内を流れる吸気又は排気の流通方向が、バーリング部３１の突出方向（矢示Ｆ方向）である場合、（ｃ）はその流通方向がバーリング部３１の突出方向と反対方向（矢示Ｇ方向）である。
【００４２】
そのサウンド発生用延設部３２には、通気孔３３が周方向に１２０°の角度間隔を置いて３個形成されている。本体部３０は、重ねて使用するガスケットの有効シール領域を内包する外周形状を有するとよい。
この、サウンドアタッチメント３は、吸気管又は排気管の接続部の一対のパイプの一方の端部に、バーリング部３１を嵌合させ、本体部３０を一対のパイプの各フランジ間に、ガスケットと共に挟み込んで装着される。したがって、サウンドアタッチメント３を、一方のパイプの端部に容易且つ確実に装着できる。
【００４３】
そして、バーリング部３１内を吸気又は排気が流れると、その一部が図６の（ｂ）に矢示Ｆで示すように、あるいは（ｃ）に矢示Ｇで示すように通気孔３３を通過し、その際サウンド発生用延設部３２を振動させ、笛のような音を発生する。その音がパイプ内で共鳴して増幅されて外部へ放音される。
そのサウンド発生用延設部３２に形成する複数の通気孔３３の大きさや形状を異ならせることによって、発生する音の音高や音色を異ならせ、２重奏や３重奏のような複合サウンドを発生させることができる。
【００４４】
なお、図６に示した実施例では、サウンド発生用延設部３２を開口３４の径方向に対して傾斜させて形成しているが、バーリング部３１の先端部から中心方向へ直角に折り曲げて形成してもよい。通気孔３３の数は３個に限らず、複数個（２個以上）あればよく、その配置間隔も等角度間隔に限るものではない。
バーリング部３１の先端部の全周に亘って環状のサウンド発生用延設部３２を形成するのに代えて、図１又は図２に示したサウンドガスケットの実施例のように、１個の通気孔を形成したサウンド発生用延設部を、バーリング部３１の先端部に１個あるいは間隔を置いて複数個設けるようにしてもよい。
【００４５】
〔サウンドアタッチメントの第４実施例〕
次に、この発明によるサウンドアタッチメントの第４実施例を図７によって説明する。図７の（ａ）はそのサウンドアタッチメントの平面図、（ｂ）は（ａ）のＸ−Ｘ線に沿う断面図である。
このサウンドアタッチメント４は、円板状の本体部４０の中心部に吸気管又は排気管のパイプの内径と対応する開口４４を有し、その開口４４の周縁部をパイプをガイドできるように曲げて、環状のサウンド発生用延設部４２を形成している。
【００４６】
そのサウンド発生用延設部４２には、１２０°の角度間隔で通気孔４３を形成している。本体部４０は、重ねて使用するガスケットの有効シール領域を内包する外周形状を有するとよい。
このサウンドアタッチメント４を使用しても、前述した第３実施例のサウンドアタッチメント３を使用した場合と同様な効果が得られる。また、第３実施例の変更例と同様な各種の変更を行うこともできる。
【００４７】
〔サウンドアタッチメントの変形例〕
図９は、この発明によるサウンドアタッチメントの変形例を装着した管接続部の構造例を示す管の軸線方向に沿う断面図である。
この管接続構造は、オートバイのエンジンの吸気側や排気側に多く使用される。その被接続側と接続側の各管であるパイプ１１１，１１２の一方の端部に小外径部１１１ａを、他方の端部に大内径部１１２ｂを、互いに嵌合可能に形成している。その大内径部１１２ｂの内側の段部に、シールリング６００を装着し、小外径部１１１ａを嵌合してそれを挟みこむ。
【００４８】
そして、パイプ１１１，１１２に溶接したパイプ接続用のフランジ２１１，２１２を、ボルト４１０とナット５１０とによって均等に締め付けることによって、シールリング６００を若干弾性変形させ、パイプ１１１とパイプ１１２を気密に接続することができる。
シールリング６００は、真鍮又はステンレス等によるパイプ状金属リング内にカーボンが充填されている。
このような管接続構造において、図６に示したサウンドアタッチメント３を変形したサウンドアタッチメント３′を装着する。このサウンドアタッチメント３′は、鍔状の本体部３０′の外径がパイプ１１２の大内径部１１２ｂの内径より僅かに小さく、バーリング部３１の外径が、パイプ１１２の内径に対応している。
【００４９】
そして、図９に示すように、そのサウンドアタッチメント３′のバーリング部３１を大内径部１１２ｂ側からパイプ１１２内に嵌入させ、本体部３０′を大内径部１１２ｂの段部に当接させる。その上にシールリング６を装着し、パイプ１１１の小外径部１１１ａを嵌合させて締め付けることにより、パイプ１１１とパイプ１１２を気密に接続すると共に、前述した実施例と同様なサウンド発生効果を得ることができる。
図７に示したサウンドアタッチメント４の本体部４０の外径を、図９に示すパイプ１１２の大内径部１１２ｂの内径より僅かに小さくしたサウンドアタッチメントを使用しても、同様な効果を得ることができる。
【００５０】
以上、この発明によるサウンドガスケット及びサウンドアタッチメントの各種の実施例について説明したが、この発明は、上述した各実施例及びその変形例に限るものではなく、特許請求の範囲の各請求項に規定する範囲内で、種々の変更、追加、省略や組合せ等が可能で有ることは勿論である。
装着する吸気管又は排気管の横断面形状は円形に限らず正方形又は長方形あるいは楕円形等に近い形状であってもよい。その場合は、サウンドガスケット及びサウンドアタッチメントの開口の形状を、その横断面形状に対応する形状にすればよい。
【００５１】
この発明によるサウンドガスケット及びサウンドアタッチメントは、各種内燃機関の吸気管又は排気管の接続部に装着可能であるが、特に、新興国の若者に普及しているオートバイのエンジンの排気管に装着して、その排気音にオリジナルの音を加えることによって、多数のオートバイの中で差別化を図ることが期待される。
【符号の説明】
【００５２】
１：サウンドガスケット    ２，３，４：サウンドアタッチメント    
１０，２０，３０，４０：本体部    １１，２１，３４，４４：開口    
１２，２２：ボルト孔    １３：ビード    
１４，１６，２４，２６，３２，４２：サウンド発生用延設部    
１５，１７，２５，２７，３３，４３：通気孔    ３１：バーリング部
１０１，１０２：パイプ    ２０１，２０２：フランジ    ３００：ガスケット    
４００：ボルト    ５００：ナット
【図１】
2019070354.tif 000003
【図２】
2019070354.tif 000004
【図３】
2019070354.tif 000005
【図４】
2019070354.tif 000006
【図５】
2019070354.tif 000007
【図６】
2019070354.tif 000008
【図７】
2019070354.tif 000009
【図８】
2019070354.tif 000010
【図９】
2019070354.tif 000011